(57)【特許請求の範囲】
【請求項１】
一対の縦割り筒状部の各々の凸面からなる一対の凸面を備え、前記一対の縦割り筒状部の各々の一方の側部どうしの間で谷部が形成され、前記谷部の両端で前記一対の縦割り筒状部の間の空間が連結板により閉塞された振動体と、
該振動体の前記谷部の深さ方向に沿う振動と該振動に対応する電気信号との変換を行う変換部と、
前記振動体における前記一対の縦割り筒状部の各々の他方の側部を前記振動の方向に沿って振動可能に支持する支持部と、
を備える電気音響変換器。
【請求項２】
前記支持部は、
前記振動体及び前記変換部を支持する支持体と、
一端が前記振動体の前記他方の側部に固定されるとともに他端が前記支持体に固定され、前記振動体の前記他方の側部を前記振動体の振動の方向に沿って振動可能に支持するエッジ部と、を備え、
前記振動体の前記谷部の深さ方向の剛性が、前記エッジ部の前記谷部の深さ方向の剛性よりも大きくなるように構成されるものである請求項１に記載の電気音響変換器。
【請求項３】
前記振動体は、前記一対の縦割り筒状部としての一対の湾曲板と、前記一対の湾曲板の各々の湾曲形状を保持する補強部とを備える請求項１記載の電気音響変換器。
【請求項４】
前記補強部は、前記湾曲板の表面又は裏面の少なくともいずれかに形成されたリブである請求項３記載の電気音響変換器。
【請求項５】
前記補強部は、前記湾曲板の裏面を覆うように形成されたブロック体である請求項３記載の電気音響変換器。
【請求項６】
各々が凸状部の表面である一対の凸面を備え、各々の一方の端部どうしが各々の他方の端部どうしよりも近接して配置されて前記一対の凸面の間に谷部が形成され、前記谷部の両端で前記一対の凸面の間の空間が連結板により閉塞された振動体と、
前記振動体の前記谷部の深さ方向に沿う振動と前記振動に対応する電気信号との間の変換を行う変換部と、
前記振動体及び前記変換部を支持する支持体と、
一端が前記振動体の外周縁部に固定されるとともに他端が前記支持体に固定され、前記外周縁部を前記振動の方向に沿って振動可能に支持するエッジ部と、
を備える電気音響変換器。
【発明の詳細な説明】
【技術分野】
【０００１】
本発明は、凸面を振動させて音を再生するスピーカ又は音を収集するマイクロホンに好適な電気音響変換器に関する。
【背景技術】
【０００２】
一般的なダイナミックスピーカは、振動板をボイスコイルモータで往復駆動するピストンモーションにより音を発するスピーカであり、低い周波数ではほぼ点音源として機能し、広い指向特性を有するが、振動板の口径と再生音の半波長がほぼ同等になる周波数以上の帯域では、指向性が鋭くなる。このため、高音域の再生には、小口径の振動板を使用した小型のスピーカが用いられる。  また、ダイナミックスピーカの動作原理と逆の動作原理を有するダイナミックマイクロホンでも、上記と同様のことが言える。即ち、広い指向性で高音域を収集するには、小口径の振動板を使用した小型のマイクロホンが用いられる。
【０００３】
これに対してリッフェル型スピーカは、一対の長方形の湾曲板により振動板が構成され、中高音域での指向性が広く、また、振動板の湾曲方向に沿う横方向に音が広がり、縦方向にはほとんど広がらないという特性を有する。
【０００４】
このようなリッフェル型スピーカとして、従来、例えば特許文献１又は特許文献２に開示されたものがある。
特許文献１には、高分子樹脂フィルムの中央部分にボイスコイルとしての導電体パターンをプリント形成し、その中央部分を折り返し加工して接着することによって、導電体パターンを有する平板状の部分と、湾曲形状の第１，第２の振動部とを一体化して備える振動板が形成されており、この振動板の平板状の部分は磁気回路内の磁気ギャップ内に配置され、両振動部の先端は支持部材に固定された構造のスピーカが開示されている。
特許文献２には、振動板中央部が凹部を形成した状態で折り返され、その凹部内に、長円の環状に巻回された偏平なボイスコイルが配置され、そのボイスコイルを上下に離間した二つの磁気ギャップ内に配置した構造のスピーカが開示されている。このスピーカにおいても、振動板の外周部は、環状のフレーム上に固定されている。
【先行技術文献】
【特許文献】
【０００５】
【特許文献１】特開２００２−７８０７９号公報
【特許文献２】特開２００７−１７４２３３号公報
【発明の概要】
【発明が解決しようとする課題】
【０００６】
しかしながら、この種のリッフェル型スピーカは、低音域での再生には適さないため、可聴帯域の全域を再生するためには、別途、低音域用のスピーカ（ウーハー）を用いたマルチスピーカシステムとする必要がある。
【０００７】
本発明は、このような事情に鑑みてなされたもので、１本のユニットで低音域から高音域までの広い周波数帯域に亘って広い指向性を有する安価な電気音響変換器を提供することを目的とする。
【課題を解決するための手段】
【０００８】
本発明の電気音響変換器は、一対の縦割り筒状部の各々の凸面からなる一対の凸面を備え、前記一対の縦割り筒状部の各々の一方の側部どうしの間で谷部が形成され、前記谷部の両端で前記一対の縦割り筒状部の間の空間が連結板により閉塞された振動体と、該振動体の前記谷部の深さ方向に沿う振動と該振動に対応する電気信号との変換を行う変換部と、前記振動体における前記一対の縦割り筒状部の各々の他方の側部を前記振動の方向に沿って振動可能に支持する支持部と、を備える。
【０００９】
この電気音響変換器は、一対の縦割り筒状部の各々の凸面が振動面となるので、本発明をスピーカに適用する場合、リッフェル型スピーカと同様に中高音域で広い指向性を有しており、しかも、変換部により振動させられる振動体は、その全体がピストンモーションするので、ダイナミックスピーカと同様に低音域においても高い音圧を有する。したがって、１本のスピーカユニットにより低音域から中高音域までの可聴帯域の全域で広い指向性で再生可能なフルレンジスピーカユニットを実現することができる。
本発明をマイクロホンに適用する場合も、一対の縦割り筒状部の各々の凸面が振動面であり、その振動体の全体が一様に振動することにより、感度を維持しながら指向性が良好となり、低音域から高音域まで広い周波数帯域に亘って広い指向性で収音することができる。
また、谷部の両端の連結版により、谷部の両端から振動体裏面側へ音波が抜けることを防止し、振動体の前面から効率的に放音又は収音することができる。
【００１０】
本発明の電気音響変換器において、前記支持部は、前記振動体及び前記変換部を支持する支持体と、一端が前記振動体の前記他方の側部に固定されるとともに他端が前記支持体に固定され、前記振動体の前記他方の側部を前記振動体の振動の方向に沿って振動可能に支持するエッジ部と、を備え、前記振動体の前記谷部の深さ方向の剛性が、前記エッジ部の前記谷部の深さ方向の剛性よりも大きくなるように構成されるものとしてもよい。
【００１２】
本発明の電気音響変換器において、前記振動体は、前記一対の縦割り筒状部としての一対の湾曲板と、前記一対の湾曲板の各々の湾曲形状を保持する補強部とを備えるものとしてもよい。
この電気音響変換器は、縦割り筒状部の形状特性により中高音域での指向性が広いので、分割振動させる必要はなく、湾曲板の湾曲形状を補強部により保持することにより、ピストンモーションを先端まで確実に伝達することができ、低音域における安定した指向性を確保することができる。
【００１３】
この場合、前記補強部は、前記湾曲板の表面又は裏面の少なくともいずれかに形成されたリブであるとよい。
湾曲板の表面又は裏面のいずれか、又はその両面に補強部を形成することができる。
湾曲板の表面に形成する場合は、縦割り筒状部の周方向に沿って形成するとよい。縦割り筒状部に沿った湾曲板は、その湾曲方向に沿う横方向への指向性は広いが、縦方向には狭いため、湾曲板の表面に周方向（横方向）に沿ってリブを設けたとしても、音響的な影響は少ない。
なお、リブは、棒状又は板状のものを採用することができる。
【００１４】
あるいは、前記補強部は、前記湾曲板の裏面を覆うように形成されたブロック体とすることもできる。
湾曲板の裏面を全面的に補強することができる。ブロック体としては、軽量化のため発泡樹脂が好適である。
【００１５】
本発明の電気音響変換器において、前記支持部は、支持枠と、前記振動体の外周縁部を前記支持枠に移動可能に支持するエッジ部とを有し、前記振動体は、前記一対の縦割り筒状部の外周縁部に、前記一対の縦割り筒状部の各々の他方の側部から錐形状に延在するコーン部を有しており、前記エッジ部は、前記コーン部の外周縁部にリング状に設けられているとよい。
振動体の一対の縦割り筒状部の外周縁部にエッジ部を設ける場合、縦割り筒状部の外周縁が複雑な形状であるため、エッジ部も複雑になるが、縦割り筒状部から錐形状に延在するコーン部を介在させることにより、エッジ部を円形リング状等の単純形状とすることができ、さらに安価に製造することが可能になる。
【００１６】
さらに、本発明の電気音響変換器は、各々が凸状部の表面である一対の凸面を備え、各々の一方の端部どうしが各々の他方の端部どうしよりも近接して配置されて前記一対の凸面の間に谷部が形成され、前記谷部の両端で前記一対の凸面の間の空間が連結板により閉塞された振動体と、前記振動体の前記谷部の深さ方向に沿う振動と前記振動に対応する電気信号との間の変換を行う変換部と、前記振動体及び前記変換部を支持する支持体と、一端が前記振動体の外周縁部に固定されるとともに他端が前記支持体に固定され、前記外周縁部を前記振動の方向に沿って振動可能に支持するエッジ部と、を備える。
【発明の効果】
【００１７】
本発明の電気音響変換器をスピーカに適用した場合、このスピーカは、低音域においてはピストンモーションにより高い音圧を有し、中低音域においては縦割り筒状部の凸面からの再生音の放射により広い指向性を有しており、１本のスピーカユニットにより低音域から中高音域までの広い範囲で広い指向性を有するフルレンジスピーカユニットを安価に実現することができる。また、本発明の電気音響変換器をマイクロホンに適用した場合も、このマイクロホンは、低音域から高音域まで広い周波数帯域に亘って広い指向性で収音することができる。
【図面の簡単な説明】
【００１８】
【図１】本発明の第１実施形態のスピーカを示す分解斜視図である。
【図２】図１のスピーカの組立状態を示す斜視図である。
【図３】図２のスピーカの上面図である。
【図４】図３のＡ−Ａ線に沿う矢視断面図である。
【図５】図３のＡ−Ａ線で切断した半断面斜視図である。
【図６】振動体の変形例を示す縦断面図である。
【図７】振動体の他の変形例を示す縦断面図である。
【図８】振動体の補強構造の一例を示す斜視図である。
【図９】振動体の補強構造の他の例を示す斜視図である。
【図１０】振動体の補強構造のさらに他の例を示す斜視図である。
【図１１】振動体の補強構造のさらに他の例を示す斜視図である。
【図１２】振動体の補強構造のさらに他の例を示す側面図である。
【図１３】図１２のＢ−Ｂ線に沿う矢視断面図である。
【図１４】本発明の第２実施形態のスピーカを示す分解斜視図である。
【図１５】図１４のスピーカの組立状態を示す斜視図である。
【図１６】図１５のスピーカの上面図である。
【図１７】図１６のＣ−Ｃ線に沿う矢視断面図である。
【図１８】図１６のＣ−Ｃ線で切断した半断面斜視図である。
【図１９】第２実施形態のスピーカの変形例の振動体を示す斜視図である。
【発明を実施するための形態】
【００１９】
今回発明者らがリッフェル型スピーカの動作原理の解析を行った結果、その指向性の広さが、高域での振動領域が線音源に集中することに起因するのではなく、振動板の形状そのものに依るものであることを見出した。そこで、この形状の振動板を保持したまま、ピストンモーションさせれば高域の指向性を保ったまま、低域までの再生が可能なスピーカユニットが実現可能であることに到達した。
【００２０】
以下、本発明の電気音響機器をスピーカに適用した実施形態について図面を参照して説明する。
図１〜図５は、本発明の第１実施形態のスピーカ（電気音響機器の一例）を示す。
この実施形態のスピーカは、振動体１と、この振動体１を往復駆動するアクチュエータ（変換部の一例）２と、これら振動体１及びアクチュエータ２を支持するための支持枠３と、振動体１を支持枠３に往復移動自在に支持するエッジ部４とを備えている。
なお、図１において、エッジ部４が設けられている側を上、アクチュエータ２が設けられている側を下とするように上下方向を設定し、後述するように矩形状に形成されている支持枠３の長辺方向を縦方向、短辺方向を横方向とする。また、上方を向く面を表面、下方を向く面を裏面とし、さらに、図示したように、縦方向をｘ方向、横方向をｙ方向、上下方向をｚ方向と称する場合もあるものとする。
【００２１】
振動体１は、一対の縦割り筒状部（凸状部）の凸面５が並列に形成されるとともに、隣接する凸面５の一方の側部どうしの間（又は一対の縦割り筒状部の凸面５どうしの間）で谷部６を形成した表面形状とされている。なお、一対の縦割り筒状部は、筒形状の部材を、縦方向（筒部の軸方向）に分割して得られる複数の部材のうちの２つの部材によって構成されるものである。図示例の振動体１は、各々が凸面５を有する一対の縦割り筒状部としての一対の湾曲板１１と、これら湾曲板１１を連結する連結板１２とにより構成されており、両湾曲板１１の谷部６を形成している側部どうしが接合された状態とされている。連結板１２は、その谷部６の縦方向の両端に、谷部６全体を塞ぐように設けられている。
また、一対の湾曲板１１によって形成される一対の凸面５は、互いに向き合って配置されている。言い換えれば、一対の湾曲板１１は、一対の湾曲板１１の一方の湾曲板の凸面５と他方の湾曲板の凹面が互いに向き合うように配置されておらず、また、一対の湾曲板１１の一対の凹面どうしが互いに向き合うように配置されていない。一対の凸面５の各々の一端部どうしが、一対の凸面５の他端部どうしよりも互いに近接して配置されるか、または、一対の凸面５の各々の他端部どうしが離間して配置され、一端部どうしが互いに接触して配置されることにより、一対の凸面５の間に一端部近傍を底部とする谷部６が形成される。
なお、この振動体１においては、谷部６の延在方向が縦方向、これと直交する方向が横方向である。
この振動体１は、その材質が限定されるものではなく、スピーカの振動板として一般的に用いられる合成樹脂、紙、金属等の材料を用いることができ、例えば、ポリプロピレン、ポリエステル等の合成樹脂からなるフィルムを真空成形することにより、比較的容易に成形することができる。
【００２２】
また、湾曲板１１の凸面５は、必ずしも単一円弧面でなくてもよく、複数の曲率を連続させたもの、凸面５の周方向（横方向）に沿う断面が放物線形状やスプライン曲線など曲率が一定ないし連続的に変化するもの、角筒状面としたもの、階段状に複数の段差部を有する形状としたものなどを採用することができる。また本実施形態の凸面５は、一方向（凸面５の周方向：横方向）に湾曲し、その一方向と直交する方向（凸面５の縦方向であり、縦割り筒状部の筒部の軸方向）へは直線状となっているが、凸面５は、縦方向に沿う断面の曲率が横方向に沿う断面の曲率（一定の曲率又は連続的に変化する複数の曲率）よりも小さい曲面（凸面）であっても良い。そして、一対の湾曲板１１が、その凸となる方向を同じ表面側に向けて並列に配置されるとともに、隣接する側部どうしが、接線方向を共通にした状態で接合されている。両湾曲板１１の接合部１３は、両湾曲板１１の一側部を接着するなどにより、例えば帯板状に形成される。そして、この接合部１３に沿って、両湾曲板１１の間に、凸面５の縦方向に沿う直線状に谷部６が形成されている。
また、均一な再生音を得るために、図４に示すように、両湾曲板１１を、その断面が接合部１３の共通の接線Ｌに対して線対称になるように形成することが好ましい。ただし、本発明においては、両湾曲板１１の各々の断面は、必ずしも線対称でなくてもよい。
【００２３】
アクチュエータ２は、例えばボイスコイルモータが用いられ、湾曲板１１の接合部１３に設けられたボイスコイル２０と、支持枠３に固定された磁石機構２１とにより構成される。図１及び図２に示す例では、湾曲板１１の接合部１３の長さ方向に間隔をおいて２個のアクチュエータ２が設けられている。
ボイスコイル２０は、円筒状のボビン２０ａの回りにコイル２０ｂが巻回されたものであり、その直径方向に湾曲板１１の接合部１３が配置されるように、ボイスコイル２０の上端と接合部１３の下縁とが接着剤等を介して固着されている。そして、このボイスコイル２０の外周部がダンパー２２を介して支持枠３に支持されており、ボイスコイル２０は支持枠３に対してボイスコイル２０の軸方向に沿って往復移動自在である。ダンパー２２は一般的なダイナミックスピーカに用いられる材料のものを適用することができる。
磁石機構２１は、環状の磁石２３と、この磁石２３の一方の極に固定されたリング状のアウターヨーク２４と、他方の極に固定されたインナーヨーク２５とを備えており、インナーヨーク２５の中心のポール部２５ａの先端部がアウターヨーク２４内に配置されることにより、これらアウターヨーク２４とインナーヨーク２５との間に、環状に磁気ギャップ２６が形成され、この磁気ギャップ２６内にボイスコイル２０の端部が挿入状態に配置されている。
【００２４】
支持枠３は、例えば金属材により成形され、図示例では、矩形の枠状に形成されたフランジ部３０と、フランジ部３０の下方に延びる複数のアーム部３１と、これらアーム部３１の下端に形成された一対（アクチュエータ２の個数分）の環状フレーム部３２とを備えている。そして、そのフランジ部３０内の空間に、谷部６がフランジ部３０の長辺方向と平行となるように振動体１が配置され、振動体１の外周縁部、つまり両湾曲板１１の接合部１３とは反対側の側部及び連結板１２の上端部がエッジ部４を介してフランジ部３０の上面に支持されている。したがって、エッジ部４は、振動体１の外周縁部に対応して矩形の枠状に形成される。このエッジ部４も、一般的なダイナミックスピーカに用いられている材料のものを適用することができる。
なお、谷部６の深さ方向における振動体１の変形し難さの度合い（剛性）が、谷部６の深さ方向におけるエッジ部４の変形し難さの度合い（剛性）よりも大きくなるように、振動体1及びエッジ部４が形成される。言い換えれば、振動体１及びエッジ部４は、振動体１が谷部６の深さ方向に振動する際に、振動体１の振動によって引き起こされる振動体１の変形量が、振動体１の振動によって引き起こされるエッジ部４の変形量よりも小さくなるように構成される。
本発明において、振動体１を谷部６の深さ方向（ｚ方向）に振動可能に支持する支持部３５は、この実施形態では、支持枠３とエッジ部４によって構成されている。
なお、エッジ部４は、一対の湾曲板１１の横方向の外周縁部、つまり、湾曲板１１の接合部１３が設けられた端部と反対の端部の縁部（湾曲板１１のエッジ部４への接続端ともいう）にエッジ部４の一端が固定され、支持枠３にエッジ部４の他端が固定されている。従って、一対の湾曲板１１の外周縁部は、エッジ部４が変形することにより、支持枠３に対して上下方向に相対的に振動することができる。従って、エッジ部４は、振動体１の全体が上下方向へ振動することを許容しつつ、振動体１を支持している。
【００２５】
この支持枠３に振動体１を取り付けた状態において、凸面５は、図４に示すように、湾曲板１１とエッジ部４との接続端どうしを結ぶ線（図示例では、接続端における接線となる）を境界線Ｈとするとき、接続端から谷部６に向かうにしたがって境界線Ｈから漸次離間する方向に湾曲する。
前述したように、凸面５は、単一円弧面だけでなく、複数の曲率を連続させたもの、断面が放物線形状やスプライン曲線など曲率が一定ないし連続的に変化するもの、角筒状面としたもの、階段状に複数の段差部を有する形状としたものなどを採用することができるが、エッジ部４との接続端どうしを結ぶ境界線Ｈを超えない形状の凸面とするのが好ましい。
【００２６】
なお、湾曲板１１の接合部１３は、両湾曲板１１の一側部どうしを接着して帯板状に形成する形態としたが、図６に示すように、湾曲板１１の一側部の間に他の帯板状の補強板１５を介在させた状態で接着する、あるいは、図７に示すように、一枚のフィルムから接合部となる中央部を折り返し状態に成形することにより、両湾曲板１１の間に折り返し状態に断面Ｖ字状又はＵ字状の接合部１６を形成する、などの形態とすることも可能である。その他、図６に示す帯板状の補強板１５に代えて、ワイヤ（図示略）を接合部に沿って固定することにより、接合部を直線状に保持する構成としてもよい。このワイヤによる補強構造は図７の湾曲板１１の接合部１６にも適用することができる。
いずれの形態の場合も、凸面５は、エッジ部４（図６及び図７では図示略）との接続端どうしを結ぶ境界線Ｈを超えない凸面とするのが好ましい。また、第１実施形態では両凸面５が接合部１３で共通の接線Ｌを有する形状としたが、この接線は必ずしも一対の凸面で一致していなくてもよく、図６及び図７に示すように、接合部が凸面５の横方向に幅を有していることにより、各凸面５が相互に平行な接線Ｌ１，Ｌ２に沿って形成される場合も含むものとする。この場合、各湾曲板１１は、両接線Ｌ１，Ｌ２の間の中心を通る線Ｍを中心として線対称に形成するのが好ましい。
【００２７】
このように構成されたスピーカは、振動体１に固定されたアクチュエータ２のボイスコイル２０に音声信号に応じた駆動電流が流れると、その駆動電流によって生じる磁束変化と、磁気ギャップ２６内の磁界とにより、ボイスコイル２０に駆動電流に応じた駆動力が作用し、磁界と直交する方向（ボイスコイル２０の軸方向、図４では矢印で示す上下方向）にボイスコイル２０を振動させる。そして、このボイスコイル２０に接続されている振動体１が、谷部６の深さ方向に沿って振動し、一対の凸面５から振動による再生音が放射される。
この場合、凸面５が振動面となるので、リッフェル型スピーカに用いられている振動板と同様に、凸面５の周方向に沿う横方向への音の指向性が広く、縦方向には狭いという特性を有する。また、リッフェル型スピーカに用いられている振動板と同様に中高音域で広い指向性を有している。
しかも、振動体１は、その外周縁部がエッジ部４により支持枠３に往復振動が可能なように支持されているので、接合部１３から外周縁部までの振動体１全体がアクチュエータ２によって一様に振動し、いわゆるピストンモーションによる振動が振動体１に生じる。このため、ダイナミックスピーカと同様に、低音域においても高い音圧を有する。この場合、谷部６の両端が開放状態であると、振動体１により放射された音波の一部が、その開放された空間を通って湾曲板１１の裏面側に抜けていくが、連結板１２により谷部６の両端が塞がれた状態となっているので、音波の湾曲板１１の裏面側への抜けを防止し、振動体１の前面の全体から効率的に放音することができる。
【００２８】
したがって、１本のスピーカユニットにより低音域から中高音域までの可聴帯域の全域で広い指向性で再生可能なフルレンジスピーカユニットを実現することができる。このスピーカを振動体１の谷部６を連続させるように縦列に複数並べることにより、ラインアレイスピーカシステムを構築することができ、理想的な線音源による音空間を提供することができる。
また、この実施形態では、アクチュエータ２のボイスコイル２０を円筒状に形成して、その上端部と振動体１とを固着したので、このアクチュエータ２として、通常のダイナミックスピーカに用いられているものを適用することができ、安価に製造することができる。
【００２９】
図８〜図１３は、振動体の凸面の形状を保持するための補強部を設けた例を示している。これらの図において、第１実施形態と共通要素には同一符号を付して説明を簡略化する。
図８に示す振動体４１は、両湾曲板１１の背面に、凸面５の周方向に沿う複数本の板状のリブ（補強部）４２が凸面５の縦方向に相互に間隔をあけて平行に設けられている。これらリブ４２は、凸面５の裏面にその周方向に沿って接触して、凸面５の剛性を高めることで、湾曲板１１の形状、つまり、一方向には湾曲し、縦方向には直線状となっている形状を保持している。
【００３０】
図９は、振動体４５を構成している湾曲板４６の一部を凹凸状に屈曲成形することにより、凸面５の周方向に沿う複数本のエンボス状のリブ（補強部）４７が凸面５の縦方向に相互に間隔をあけて平行に形成されている。この図９に示す例では、各リブ４７は、凸面５の表面側を凹とし裏面側を凸とするように成形されている。逆に、凸面５の表面側を凸とし裏面側を凹とするものでもよく、あるいは、これらを混在させ、凸と凹とを凸面５の長さ方向に交互に配置したものでもよい。
【００３１】
図１０に示す振動体５１は、両湾曲板１１の裏面に板状のリブ（補強部）５２が設けられている点は、図８の振動体４１と同様であるが、各リブ５２が凸面５の周方向に対して傾斜するとともに、隣接するリブ５２の一端が湾曲板１１の両側部で接するように傾斜の向きを逆にして配置されている。このようなリブ５２の配置とすることにより、湾曲板１１の全面にわたってリブ５２が配置されるので、湾曲板１１の形状をより強固に保持することができる。
【００３２】
図１１に示す振動体５５は、凸面５の裏面側ではなく、表面側に、その谷部６に嵌まり込むように、凸面５の周方向に沿う複数本の板状のリブ（補強部）５６が凸面５の長さ方向に相互に間隔をあけて平行に設けられている。
前述したように、凸面５を再生音の放射面とするので、その凸面５の周方向に沿う横方向への指向性は広いが、縦方向には狭いという特性を有しており、このため、凸面５の放射面に横方向に沿って板状のリブ５６を設けたとしても、音響的な影響は少ない。
【００３３】
図１２及び図１３に示す振動体６１は、湾曲板１１の裏面のほぼ全面にわたってブロック体（補強部の一例）６２が固着されている。このブロック体６２は、合成樹脂、コルク材、木材等により成形することができるが、軽量にするため、発泡スチロール、発泡ウレタン等、樹脂を発泡成形したものが好適である。この場合、ブロック体６２は、図１３に示すように、湾曲板１１の接合部１３の下縁を埋め込む形状に形成され、ボイスコイル２０の上端部がブロック体６２内に埋設状態に固定されている。
なお、振動体６１は、湾曲板１１とブロック体６２が一体的に、合成樹脂、コルク材、木材等により成形されても良い。
【００３４】
図１４〜図１８は、本発明の第２実施形態のスピーカを示している。これらの図においても、第１実施形態と共通要素には同一符号を付している。
この実施形態のスピーカでは、振動体７１の外周縁部がダイナミックスピーカに広く用いられているコーン状に形成されることにより、振動体７１の外周縁部にコーン部７２が設けられており、振動体７１を支持する支持部７３が、そのコーン部７２の外周縁部をリング状のエッジ部７４を介して支持枠７５に支持したものである。支持部７３は、支持枠７５とエッジ部７４とによって構成される。
この振動体７１は、各々が凸面５を有する一対の湾曲板部７６と、これら一対の湾曲板部７６の縦方向の両端縁部及び接合部１３とは反対側の端部を一体に連結しつつ外方に延びるコーン部７２とから構成されており、合成樹脂からなるフィルムを真空成型するなどにより、成形することができる。このコーン部７２は、図示例では円錐面状に形成され、したがってエッジ部７４も円形のリング状に形成されているが、湾曲板部を縦長に形成することにより、コーン部を楕円錐面状に形成し、エッジ部も楕円形のリング状に形成するようにしてもよい。
また、コーン部７２は、一般的なダイナミックスピーカとして用いられる振動板であれば、円錐面状や楕円錘面状以外の形状でもよく、 正面視で丸型や角型、あるいは角型に丸型を組み合わせた形状 でもよく、全体として錐形状に形成されていればよい。一対の湾曲板７６の形状も、上記コーン部７２の形状に合わせて、適宜変更される。
なお、一対の湾曲板７６及びコーン部７２を上記のように構成することにより、振動体７１の外周縁部はエッジ部７４の一端部に固定され、エッジ部７４の他端部（外周縁部）は、支持枠７５に固定されることとなる。
【００３５】
振動体７１を往復駆動するアクチュエータ２、これら振動体７１及びアクチュエータ２を支持するための支持枠７５を有する点は図１〜図５に示す第１実施形態と同様である。この場合、エッジ部７４が円形等のリング状に形成されているので、このエッジ部７４が取り付けられる支持枠７５のフランジ部７８もエッジ部７４と同じ円形等のリング状に形成されている。
なお、図１４及び図１５において符号８０は、ボイスコイル２０を外部に接続するための端子を示している。
【００３６】
この実施形態のスピーカは、振動体７１の外周縁部にコーン部７２を有しているので、エッジ部７４を円形リング状等の単純形状とすることができ、したがって、エッジ部、支持枠、アクチュエータ等として、通常のコーン状振動板を有するダイナミックスピーカと共通の部品を適用することができ、さらに安価に製造することが可能になる。
【００３７】
なお、本発明は、上記実施形態に限定されるものではなく、本発明の趣旨を逸脱しない範囲において種々の変更を加えることが可能である。
例えば、第１実施形態における振動体を湾曲板と連結板とにより構成したが、連結板は必ずしもなくてもよい。また、連結板を設ける場合も、湾曲板の間を全面的に連結するものでなくともよく、高さ方向の上端部、あるいは中間部のみを連結するものであってもよい。
また、第２実施形態における振動体は、湾曲板部とコーン部とを一体に成形したが、円錐状又は楕円錐状のコーン部の表面に湾曲板部を貼付した構成としてもよく、振動体の表面に凸面が形成されていればよい。
また、第２実施形態における一対の湾曲板の各々の表面あるいは裏面の少なくとも一方に、図１９に示されるように、リブ９０等の補強部を設けることとしても良い。複数のリブ９０の各々は、振動体７１の一対の湾曲板部７６の凸面５の周方向に沿って表面に固定される。また、複数のリブ９０は、凸面５の縦方向に沿って互いに等間隔に平行に配置されている。この複数のリブ９０に加えて、あるいは複数のリブ９０に代えて、第２実施形態における一対の湾曲板の各々の裏面に、ブロック体等の補強部を設けることとしても良い。
【００３８】
また、振動体を補強するリブは、板状のものに限らず、棒状のものでもよい。
さらに、振動体を往復駆動する変換部として、ボイスコイルモータを適用したが、ボイスコイルモータに代えて、圧電素子等を用いてもよい。
また、前述の実施形態では、図１等に示すように振動体に対して縦方向（ｘ方向）に間隔をおいて二箇所に変換部を設けた実施形態と、図１４に示すように振動体に１個の変換部を設けた実施形態とを示したが、変換部は１個または２個に限らず、振動体の縦方向（ｘ方向）に間隔をおいて３個以上配置してもよい。
また、上記実施形態ではいずれも本発明をスピーカに適用したが、本発明をマイクロホンに適用することも可能である。本発明をスピーカに適用する場合は、ボイスコイルモータ等の変換部が、音声信号に基づく電気信号を振動体の振動に変換するが、本発明をマイクロホンに適用する場合も、変換部としてボイスコイルモータ等を用いることができ、その場合の変換部は、音波を受けて振動する振動体の振動を電気信号に変換する。そして、本発明を適用したマイクロホンは、凸面が振動面であり、その振動体の全体が一様に振動することにより、感度を維持しながら指向性が良好となり、低音域から高音域まで広い周波数帯域に亘って広い指向性で収音することができる。
【符号の説明】
【００３９】
１…振動体、２…アクチュエータ（変換部）、３…支持枠、４…エッジ部、５…凸面、６…谷部、１１…湾曲板、１２…連結板、１３…接合部、１５…補強板、１６…接合部、２０…ボイスコイル、２０ａ…ボビン、２０ｂ…コイル、２１…磁石機構、２２…ダンパー、２３…磁石、２４…アウターヨーク、２５…インナーヨーク、２５ａ…ポール部、２６…磁気ギャップ、３０…フランジ部、３１…アーム部、３２…環状フレーム部、３５…支持部、４１…振動体、４２…リブ（補強部）、４５…振動体、４６…湾曲板、４７…リブ（補強部）、５１…振動体、５１…湾曲板、５２…リブ（補強部）、５５…振動体、５６…リブ（補強部）、６１…振動体、６２…ブロック体（補強部）、７１…振動体、７２…コーン部、７３…支持部、７４…エッジ部、７５…支持枠、７６…湾曲板部、７８…フランジ部、８０…端子
【図１】
0006048469.tif 000002
【図２】
0006048469.tif 000003
【図３】
0006048469.tif 000004
【図４】
0006048469.tif 000005
【図５】
0006048469.tif 000006
【図６】
0006048469.tif 000007
【図７】
0006048469.tif 000008
【図８】
0006048469.tif 000009
【図９】
0006048469.tif 000010
【図１０】
0006048469.tif 000011
【図１１】
0006048469.tif 000012
【図１２】
0006048469.tif 000013
【図１３】
0006048469.tif 000014
【図１４】
0006048469.tif 000015
【図１５】
0006048469.tif 000016
【図１６】
0006048469.tif 000017
【図１７】
0006048469.tif 000018
【図１８】
0006048469.tif 000019
【図１９】
0006048469.tif 000020